【手続補正書】
【提出日】平成21年1月22日(2009.1.22)
【手続補正１】
【補正対象書類名】特許請求の範囲
【補正対象項目名】全文
【補正方法】変更
【補正の内容】
【特許請求の範囲】
【請求項１】
ブロードキャスト暗号化システムにおいて不正関与鍵の再使用を防止する方法であって、
（ａ）ライセンス機関によって割り当てられたシーケンス鍵の特定の組を個々の受信器に組み込むステップと、
（ｂ）前記ライセンス機関によってシーケンス鍵ブロック（ＳＫＢ）を少なくとも１つの配布される保護ファイルに割り当てるステップと、
（ｃ）選択されたシーケンス鍵が不正に関与しているかどうかを決定するために前記個々の受信器によってインクリメンタル暗号テストを行うステップと、
（ｄ１）前記選択されたシーケンス鍵が不正に関与していない場合、それに応答して、前記ファイルを適切に暗号解除し、前記方法を終了するステップと、
（ｄ２）前記選択されたシーケンス鍵が不正に関与している場合、それに応答して、前記組の中の後続のシーケンス鍵が利用可能であるかどうかを決定するステップと、
（ｅ１）後続のシーケンス鍵が利用可能である場合、その後続のシーケンス鍵を選択し、ステップ（ｃ）に復帰するステップと、
（ｅ２）後続のシーケンス鍵が利用可能でない場合、前記ファイルを適切に暗号解除することなく、前記方法を終了するステップと、
を含む方法。
【請求項２】
前記シーケンス鍵が、前記ファイル内の変形の特定の組を選択する、請求項１に記載の方法。
【請求項３】
前記ファイルが、暗号鍵、テキスト、オーディオ、画像、動画、マルチメディア・プレゼンテーション、音楽、映画、オペレーティング・システム、ビデオ・ゲーム、内部符号語に従ってセグメントを選択する再生命令、およびソフトウェア・アプリケーションのうちの少なくとも１つのデジタル形式を含む、請求項１に記載の方法。
【請求項４】
前記ファイルが、コンピュータ・ネットワーク、衛星ネットワーク、ケーブル・ネットワーク、テレビ伝送、および物理的記憶メディアのうちの少なくとも１つによって配布される、請求項１に記載の方法。
【請求項５】
前記ＳＫＢが、暗号的に特定の受信器を無効化するように案出される、請求項１に記載の方法。
【請求項６】
前記組が、連結リストを含む、請求項１に記載の方法。
【請求項７】
前記テストを行うステップが、前記選択されたシーケンス鍵が不正に関与しているかどうかを示す所定の値を獲得するために、前記選択されたシーケンス鍵および利用可能であるならばリンク鍵を、前記ＳＫＢに暗号的に適用するステップをさらに含む、請求項１に記載の方法。
【請求項８】
前記選択されたシーケンス鍵が不正に関与している場合、前記後続のシーケンス鍵に到るリンク鍵が生成される、請求項７に記載の方法。
【請求項９】
ブロードキャスト暗号化システムにおいて不正関与鍵の再使用を防止するためのコンピュータ・プログラムであって、
ライセンス機関によって割り当てられたシーケンス鍵の特定の組を個々の受信器に組み込む機能と、
前記ライセンス機関によってシーケンス鍵ブロック（ＳＫＢ）を少なくとも１つの配布される保護ファイルに割り当てる機能と、
選択されたシーケンス鍵が不正に関与しているかどうかを決定するために前記個々の受信器によってインクリメンタル暗号テストを行う機能と、
前記選択されたシーケンス鍵が不正に関与していない場合、それに応答して、前記ファイルを適切に暗号解除し、処理を終了する機能と、
前記選択されたシーケンス鍵が不正に関与している場合、それに応答して、前記組の中の後続のシーケンス鍵が利用可能であるかどうかを決定する機能と、
後続のシーケンス鍵が利用可能である場合、その後続のシーケンス鍵を選択し、前記テストに復帰する機能と、
後続のシーケンス鍵が利用可能でない場合、前記ファイルを適切に暗号解除することなく、処理を終了する機能と、
をコンピュータに実現させるプログラム。
【請求項１０】
ブロードキャスト暗号化システムにおいて不正関与鍵の再使用を防止するためのシステムであって、
ライセンス機関によって割り当てられたシーケンス鍵の特定の組を個々の受信器に組み込む手段と、
前記ライセンス機関によってシーケンス鍵ブロック（ＳＫＢ）を少なくとも１つの配布される保護ファイルに割り当てる手段と、
選択されたシーケンス鍵が不正に関与しているかどうかを決定するために前記個々の受信器によってインクリメンタル暗号テストを行う手段と、
前記選択されたシーケンス鍵が不正に関与していない場合、それに応答して、前記ファイルを適切に暗号解除し、動作を終了する手段と、
前記選択されたシーケンス鍵が不正に関与している場合、それに応答して、前記組の中の後続のシーケンス鍵が利用可能であるかどうかを決定する手段と、
後続のシーケンス鍵が利用可能である場合、その後続のシーケンス鍵を選択し、前記テストに復帰する手段と、
後続のシーケンス鍵が利用可能でない場合、前記ファイルを適切に暗号解除することなく、動作を終了する手段と、
を含むシステム。
【請求項１１】
ブロードキャスト暗号化システムにおいて不正関与鍵の再使用を防止するためのシステムであって、
個々の受信器にシーケンス鍵の特定の組を割り当てるライセンス機関と、
前記ライセンス機関によって割り当てられたシーケンス鍵ブロック（ＳＫＢ）を有する少なくとも１つの配布される保護ファイルと、
選択されたシーケンス鍵が不正に関与しているかどうかを決定するためにインクリメンタル暗号テストを行い、それに応答して、
（ａ１）前記選択されたシーケンス鍵が不正に関与していない場合、それに応答して、前記ファイルを使用のために適切に暗号解除し、システム動作を停止し、
（ａ２）前記選択されたシーケンス鍵が不正に関与している場合、それに応答して、前記組の中の後続のシーケンス鍵が利用可能であるかどうかを決定し、
（ｂ１）後続のシーケンス鍵が利用可能である場合、その後続のシーケンス鍵を選択し、前記テストに復帰し、
（ｂ２）後続のシーケンス鍵が利用可能でない場合、前記ファイルを適切に暗号解除することなく、前記システムが終了する、
アクションを実行する個々の受信器と、
を含むシステム。
【請求項１２】
前記シーケンス鍵が、前記ファイル内の変形の特定の組を選択する、請求項１１に記載のシステム。
【請求項１３】
前記ファイルが、暗号鍵、テキスト、オーディオ、画像、動画、マルチメディア・プレゼンテーション、音楽、映画、オペレーティング・システム、ビデオ・ゲーム、内部符号語に従ってセグメントを選択する再生命令、およびソフトウェア・アプリケーションのうちの少なくとも１つのデジタル形式を含む、請求項１１に記載のシステム。
【請求項１４】
前記ファイルが、コンピュータ・ネットワーク、衛星ネットワーク、ケーブル・ネットワーク、テレビ伝送、および物理的記憶メディアのうちの少なくとも１つによって配布される、請求項１１に記載のシステム。
【請求項１５】
前記ＳＫＢが、暗号的に特定の受信器を無効化するように案出される、請求項１１に記載のシステム。
【請求項１６】
前記組が、連結リストを含む、請求項１１に記載のシステム。
【請求項１７】
前記テストが、前記選択されたシーケンス鍵が不正に関与しているかどうかを示す所定の値を獲得するために、前記選択されたシーケンス鍵および利用可能であるならばリンク鍵を、前記ＳＫＢに暗号的に適用することをさらに含む、請求項１１に記載のシステム。
【請求項１８】
前記選択されたシーケンス鍵が不正に関与している場合、前記後続のシーケンス鍵に到るリンク鍵が生成される、請求項１７に記載のシステム。
【請求項１９】
ブロードキャスト暗号化システムにおいて非トレイタ受信器を誤ってトレイタと見なすことを防止する方法であって、
ブロードキャスト暗号化システムの各受信器が、受信器に一意的にわたって割り当てられた組から不正無関与シーケンス鍵を選択的に選択するステップと、
不正無関与シーケンス鍵が前記組の中に存在しない場合に限って、受信器をトレイタとして使用不可能にするステップと、
を含む方法。
【請求項２０】
前記シーケンス鍵が、ファイル変形の特定の組を選択する、請求項１９に記載の方法。